(57)【特許請求の範囲】
【請求項１】
携帯電子機器に内蔵され、リード線およびコネクタ部を介して前記携帯電子機器に対して電力供給を行うバッテリの収納構造であって、
前記バッテリを収納するバッテリ本体収納部と、
前記バッテリ本体収納部に前記バッテリが収納された状態での前記コネクタ部を、前記携帯電子機器の回路と絶縁状態で保持できるコネクタ保持部と、を有することを特徴とする携帯電子機器のバッテリ収納構造。
【請求項２】
前記コネクタ保持部は、前記コネクタ部との係合構造を有し、絶縁材料で構成されている、請求項１に記載の携帯電子機器のバッテリ収納構造。
【請求項３】
前記コネクタ保持部は、前記携帯電子機器のバッテリ接続用コネクタの近傍に設けられている、請求項１または請求項２に記載の携帯電子機器のバッテリ収納構造。
【請求項４】
前記コネクタ保持部と前記バッテリ本体収納部との間には、前記コネクタのリード線を格納できるリード線格納部が設けられている、請求項１から請求項３のいずれか１項に記載の携帯電子機器のバッテリ収納構造。
【請求項５】
前記携帯電子機器には、前記バッテリ本体収納部、前記コネクタ保持部、前記リード線格納部、および前記携帯電子機器のバッテリ接続用コネクタを覆う開閉可能なカバーが設けられている、請求項１から請求項４のいずれか１項に記載の携帯電子機器のバッテリ収納構造。
【請求項６】
請求項１から請求項５のいずれか１項に記載の携帯電子機器のバッテリ収納構造を備えた携帯電子機器。
【発明の詳細な説明】
【技術分野】
【０００１】
本発明は携帯電子機器のバッテリ収納構造とそのバッテリ収納構造を備えた携帯電子機器に関し、特に、バッテリを収納した状態でバッテリを携帯電子機器に対し非接続状態に保持できる携帯電子機器のバッテリ収納構造とそのバッテリ収納構造を備えた携帯電子機器に関する。
【背景技術】
【０００２】
従来から、携帯電話機、携帯情報端末などの各種携帯電子機器が広く使用され、更に増加の傾向にある。これらの携帯電子機器には電源用として電池が搭載されており、電池としては１次電池である乾電池や２次電池である充電可能なバッテリが使用されている。
【０００３】
電池を機器に実装したまま出荷すると、長期間使用されずに在庫となったりした場合に、電池が消耗して使用開始後の使用継続時間が短くなるといった問題がある。そのため、機器本体から電池を取り外して添付品として箱に同梱して出荷することが行われていた。この場合乾電池の場合は形状も小さいので余り問題はならなかったが、バッテリの場合は形状も大きいので、梱包箱内に携帯電子機器の収納部とは別にバッテリ収納部を設ける必要があり、また、短絡しないようバッテリを梱包する必要もあるという問題もあった。
【０００４】
乾電池の場合でも、出荷時と使用開始時における電池の着脱の手間を省くために、本体に電池を装着して出荷することが求められている。特許文献１には特定のコマンドを入力することによってレギュレータをオフにして電子回路への電圧の供給を停止し、スイッチを操作することによって電圧が供給される構成が開示されている。また、乾電池においては電池の端子と接続端子との間に絶縁部材を挟んで出荷し、使用する場合にその絶縁部材を引き抜くという方法も行なわれている（例えば特許文献２）。この方法は直接コンタクト型のバッテリに対しては適用が可能であるが、リード線付コネクタを使用するバッテリに適用することは困難である。
【特許文献１】特開２００１−２３７９５２号公報
【特許文献２】特開昭５９‐１７７８５４号公報
【発明の開示】
【発明が解決しようとする課題】
【０００５】
特許文献１で開示された方法は、リード線付コネクタを使用するバッテリに適用することが可能であるが、制御のための電子部品を別に設ける必要があり、また電子回路への電圧の供給を停止した場合でも制御のための電子部品には電圧を供給する必要があるという問題がある。
【０００６】
本発明の目的は、リード線付コネクタを備えたバッテリを使用する携帯電子機器において、バッテリを電子機器に搭載したまま、容易に電子機器の回路への電圧の供給を遮断できるバッテリ収納構造を提供することにある。
【課題を解決するための手段】
【０００７】
本発明の携帯電子機器のバッテリ収納構造は、
携帯電子機器に内蔵され、リード線およびコネクタ部を介して携帯電子機器に対して電力供給を行うバッテリの収納構造であって、バッテリを収納するバッテリ本体収納部と、バッテリ本体収納部にバッテリが収納された状態でのコネクタ部を、携帯電子機器の回路と絶縁状態で保持できるコネクタ保持部とを有することを特徴とする。
【０００８】
コネクタ保持部は、コネクタ部との係合構造を有し、絶縁材料で構成されていてもよく、携帯電子機器のバッテリ接続用コネクタの近傍に設けられていてもよい。
【０００９】
コネクタ保持部とバッテリ本体収納部との間には、コネクタのリード線を格納できるリード線格納部が設けられていてもよく、携帯電子機器には、バッテリ本体収納部、コネクタ保持部、リード線格納部、および携帯電子機器のバッテリ接続用コネクタを覆う開閉可能なカバーが設けられていてもよい。
【００１０】
本発明のバッテリ収納構造を備えた携帯電子機器は、上述の携帯電子機器のバッテリ収納構造を備えることを特徴とする。
【００１１】
バッテリ収納構造は、バッテリ本体収納部に収納されたバッテリのリード線付コネクタのコネクタ部を、携帯電子機器の回路に対して絶縁状態で保持できるコネクタ保持部を有するので、リード線付コネクタのコネクタ部をコネクタ保持部で保持した状態で出荷し、使用開始時にはコネクタ部を携帯電子機器のバッテリ接続用コネクタに接続させることで、バッテリを携帯電子機器に搭載したまま出荷でき、使用開始までのバッテリの消耗を防ぐことができ、梱包においてもバッテリ収納部が不要になる。
【発明の効果】
【００１２】
本発明では、携帯電子機器のバッテリ収納構造が、バッテリ本体収納部に収納されたバッテリのリード線付コネクタのコネクタ部を絶縁状態で保持できるコネクタ保持部を有する。従ってバッテリをバッテリ本体収納部に収納したまま、リード線付コネクタのコネクタ部をコネクタ保持部で保持した状態で出荷し、使用開始時にはコネクタ部を携帯電子機器のバッテリ接続用コネクタに接続させることができる。このように、バッテリを携帯電子機器に搭載したまま出荷でき、かつ使用開始までのバッテリの消耗を防ぐことができるという効果がある。
【００１３】
また、梱包においてもバッテリ収納部が不要になるので、梱包形態を小型化でき、バッテリの短絡を防ぐための梱包も不要になるという効果がある。さらに、開梱時に、バッテリが、どこに梱包されているか探す必要がないので、無駄な手間を省くことができるという効果がある。
【発明を実施するための最良の形態】
【００１４】
本発明の実施の形態について図面を参照して説明する。図１は本発明の実施の形態の携帯電子機器のバッテリ収納構造の、バッテリカバーを外してバッテリを取り外した状態を示す模式的斜視図であり、図２は図１の携帯電子機器のバッテリカバーを外してバッテリを取り外した状態を示す模式的上面図である。
【００１５】
バッテリ２０は、コネクタ用リード線２２で接続されたバッテリ側コネクタ２１を有する。携帯電子機器１には、バッテリ収納部１１と、リード線用スペース１２と、コネクタ保持部１４と、機器側のバッテリ接続用コネクタ１５とから構成されるバッテリ収納構造１０が設けられており、これらは取り外し可能のバッテリカバー１３で覆うことができる。機器側のバッテリ接続用コネクタ１５には、コネクタ用リード線２２で接続されたバッテリ側コネクタ２１を接続して固定することができる。機器側のバッテリ接続用コネクタ１５には、接続されたバッテリ側コネクタ２１の接触端子と接触して電気的に導通する接触端子が設けられており、接続された状態でバッテリ２０から携帯電子機器１に給電される。図１、図２に示される例では、機器側のバッテリ接続用コネクタ１５は箱型となっていて底面に接触端子が設けられており、その内側に六面体状のバッテリ側コネクタ２１が挿入されて固定可能であり、挿入された状態で底面の凸状の接触端子がバッテリ側コネクタ２１の凹状の接触端子部に挿入されて電気的に接続される。これは１例であり、機器側のバッテリ接続用コネクタ１５とバッテリ側コネクタ２１が取り外し可能に係合して電気的に接続される構成であればよい。
【００１６】
コネクタ保持部１４は、バッテリ接続用コネクタ１５と類似の形状をしており、バッテリ側コネクタ２１を保持固定することができるが接触端子は設けられておらず、バッテリ側コネクタ２１は外部と絶縁状態でコネクタ保持部１４に保持固定することができる。コネクタ保持部１４の形状は、バッテリ接続用コネクタ１５と同形状またはそれに近い形状が望ましく、容易にバッテリ側コネクタ２１が抜けない形状であることが望ましい。
【００１７】
リード線用スペース１２は、バッテリ収納部１１とコネクタ保持部１４との間に設けられており、バッテリ２０をバッテリ収納部１１に収納し、バッテリ側コネクタ２１をコネクタ保持部１４、あるいはバッテリ接続用コネクタ１５に接続したときに、コネクタ用リード線２２を安定して収納できる形状となっている。
【００１８】
次に、本発明の実施の形態の携帯電子機器のバッテリ収納構造を用いた動作について説明する。図３は、本発明の実施の形態の携帯電子機器のバッテリカバーを外してバッテリを格納し、コネクタをコネクタ保持部に固定した状態を示す模式的斜視図であり、図４は、図３の状態の模式的上面図である。図５は、本発明の実施の形態の携帯電子機器のバッテリカバーを外してバッテリを格納し、コネクタを機器側のバッテリ接続用コネクタに電気的に接続して固定した状態を示す模式的斜視図であり、図６は図５の状態の模式的上面図である。
【００１９】
携帯電子機器１を出荷してから使用を始めるまでの状態を動作のステップで説明する。
１．出荷時
１）バッテリカバー１３を開放する。
２）携帯電子機器１のバッテリ収納部１１にバッテリ２０を実装する。
３）携帯電子機器１と電気的に接続されていないコネクタ保持部１４にバッテリ側コネクタ２１を差し込んで固定する。（図３、図４参照）
４）バッテリカバー１３を携帯電子機器１の本体に嵌め込む。
５）携帯電子機器１を梱包して出荷する。
２．使用時
１）携帯電子機器１の梱包を開梱する。
２）バッテリカバー１３を携帯電子機器１の本体から外す。
３）バッテリ側コネクタ２１をコネクタ保持部１４から抜き、実使用時に接続する機器側のバッテリ接続用コネクタ１５に差し込む。（図５、図６参照）
４）バッテリカバー１３を嵌め込む。
５）携帯電子機器１としての使用を開始する。
【００２０】
以上のような操作を行うことで、バッテリ２０を携帯電子機器１の本体と別な梱包に収容することなく輸送することができ、購入者もバッテリ２０を探して開梱することなく、そのまま携帯電子機器１の本体を開梱して、携帯電子機器１を取り出して、バッテリカバー１３を開いて、バッテリ側コネクタ２１をコネクタ保持部１４から取り外して、機器側のバッテリ接続コネクタ１５に差し替えて、バッテリカバー１３を閉じるだけで携帯電子機器１に電源が供給されて使用可能の状態になる
上述の実施の形態では、実際の使用時に接続する機器側のバッテリ接続用コネクタ１５の近傍に電気的に電子機器と接続されないコネクタ保持部１４を設けることとしているが、携帯電子機器１のバッテリ側コネクタ２１をキャップのような形状の絶縁体で覆った状態でリード線用スペース１２に収納して出荷してもよい。また、ビニールテープやシールでバッテリ側コネクタ２１を保持して携帯電子機器１に短絡しないようにして出荷する方法もあるが、輸送時の振動等による障害を受ける可能性がある。
【図面の簡単な説明】
【００２１】
【図１】本発明の実施の形態の携帯電子機器のバッテリ収納構造の、バッテリカバーを外してバッテリを取り外した状態を示す模式的斜視図である。
【図２】図１の携帯電子機器のバッテリカバーを外してバッテリを取り外した状態を示す模式的上面図である。
【図３】本発明の実施の形態の携帯電子機器のバッテリカバーを外してバッテリを格納し、コネクタをコネクタ保持部に固定した状態を示す模式的斜視図である。
【図４】図３の状態の模式的上面図である。
【図５】本発明の実施の形態の携帯電子機器のバッテリカバーを外してバッテリを格納し、コネクタを機器側のバッテリ接続用コネクタに電気的に接続して固定した状態を示す模式的斜視図である。
【図６】図５の状態の模式的上面図である。
【符号の説明】
【００２２】
１    携帯電子機器
１０    バッテリ収納構造
１１    バッテリ収納部
１２    リード線用スペース
１３    バッテリカバー
１４    コネクタ保持部
１５    機器側のバッテリ接続用コネクタ
２０    バッテリ
２１    バッテリ側コネクタ
２２    コネクタ用リード線
【図１】
0004728813.tif 000002
【図２】
0004728813.tif 000003
【図３】
0004728813.tif 000004
【図４】
0004728813.tif 000005
【図５】
0004728813.tif 000006
【図６】
0004728813.tif 000007